(57)【要約】      （修正有）【課題】刃具を定位でき、刃具の脱落を防止できるタレット脱着可能な挟み機構を提供する。【解決手段】支持台１と、支持台の一側に回動可能に設けられ、定位穴２１を有する受け枠２と、受け枠に固定され、中空状を呈し、押付部３１を有し、押付部の受け枠に向いている箇所から連接部３２が延び、連接部が定位穴を挿通し、押付部は押付面を有し、押付部の受け枠から遠ざかった側から環状縁３３が延び、環状縁に弾性具４を嵌合でき、環状縁には、環状縁を貫通する収容穴が二つ設ける。さらに、各収容穴には、玉３３２がそれぞれ収容され、環状縁の内面に階段状エッジ３３３が設けられ、階段状エッジに規制ブロック３３４が二つ設けられる刃具受け台３と、刃具受け台の環状縁に嵌め設けられ、弾性具を収容し、その上縁は玉に押付可能な斜面に形成され、斜面の下方には、弾性具４に押付可能な止め縁が設けられる連接具５と、を含む。【選択図】図２
0003176704.tif 000002
【実用新案登録請求の範囲】
【請求項１】
支持台と、
前記支持台の一側に回動可能に設けられ、定位穴を有する受け枠と、
前記受け枠に固定され、中空状を呈し、押付部を有し、前記押付部の前記受け枠に向いている箇所から連接部が延び、前記連接部が前記定位穴を挿通し、前記押付部は押付面を有し、前記押付部の前記受け枠から遠ざかった側から環状縁が延び、前記環状縁に弾性具を嵌合でき、前記環状縁には、前記環状縁を貫通する収容穴が二つ設けられ、各前記収容穴には、玉がそれぞれ収容され、前記収容穴の前記環状縁の内面に位置する直径は前記玉の直径よりも小さく、前記環状縁の内面に階段状エッジが設けられ、前記階段状エッジに規制ブロックが二つ設けられる刃具受け台と、
前記刃具受け台の前記環状縁に嵌め設けられ、前記弾性具を収容し、その上縁は前記玉に押付可能な斜面に形成され、前記斜面の下方には、前記弾性具に押付可能な止め縁が設けられる連接具と、
を含むことを特徴とするタレット脱着可能な挟み機構。
【請求項２】
前記刃具受け台は、更に、載せ具を含み、前記載せ具は、前記刃具受け台の内部に設けられ、その上端に凸縁が設けられ、前記凸縁は、前記階段状エッジに押付け、その両側に切り欠がそれぞれ設けられ、各前記切り欠は、それに対応する前記規制ブロックと係合可能であり、前記載せ具は円錐面を有し、前記円錐面に刃具を置き可能であることを特徴とする、請求項１に記載のタレット脱着可能な挟み機構。
【請求項３】
前記刃具受け台は、少なくとも一つの固定具を介して前記受け枠に固定されることを特徴とする、請求項１に記載のタレット脱着可能な挟み機構。
【請求項４】
前記弾性具はバネであることを特徴とする、請求項１に記載のタレット脱着可能な挟み機構。
【請求項５】
前記連接具の外面には、凹縁が複数設けられることを特徴とする、請求項１に記載のタレット脱着可能な挟み機構。
【請求項６】
環状蓋は前記刃具受け台の前記環状縁の上端に設けられることを特徴とする、請求項１に記載のタレット脱着可能な挟み機構。
【請求項７】
前記刃具受け台の前記環状縁の上端には、更に、環状蓋が設けられ、前記環状蓋は、前記連接具を止めて前記連接具の前記環状縁からの脱落を防止できることを特徴とする、請求項１に記載のタレット脱着可能な挟み機構。
【考案の詳細な説明】
【技術分野】
【０００１】
本考案は、タレットにおける切削用刃具を脱着可能な挟み機構に関し、特に、刃具を定位でき、刃具の脱落を防止できるタレット脱着可能な挟み機構に関するものである。
【背景技術】
【０００２】
刃具が脱着可能な工作台は、二つの受け台を有することが一般的である。一つの受け台は、刃具を水平に置き可能なものであり、もう一つの受け台は、刃具を垂直に置き可能なものである。しかし、切削用刃具の仕様が色々あるため、ロックの角度が異なり、ある受け台に切削用刃具を良く脱着できず、又はロックできない場合には、別の受け台に切削用刃具を移動することが必要であり、これにより、使用が極めて不便である。そして切削用刃具を移動しているときには、切削用刃具が工作台に衝突しやすく、これにより、切削用刃具は、磨耗されて機械との密着性が降下して、受け台に置かれているときに脱落しやすい。
【考案の概要】
【考案が解決しようとする課題】
【０００３】
本考案の主な目的は、刃具を定位でき、刃具の脱落を防止できるタレット脱着可能な挟み機構を提供することにある。
【課題を解決するための手段】
【０００４】
本考案のタレット脱着可能な挟み機構によると、支持台と、
支持台の一側に回動可能に設けられ、定位穴を有する受け枠と、
受け枠に固定され、中空状を呈し、押付部を有し、押付部の受け枠に向いている箇所から連接部が延び、連接部が定位穴を挿通し、押付部は押付面を有し、押付部の受け枠から遠ざかった側から環状縁が延び、環状縁に弾性具を嵌合でき、環状縁には、環状縁を貫通する収容穴が二つ設けられ、各収容穴には、玉がそれぞれ収容され、収容穴の環状縁の内面に位置する直径は玉の直径よりも小さく、環状縁の内面に階段状エッジが設けられ、階段状エッジに規制ブロックが二つ設けられる刃具受け台と、
刃具受け台の環状縁に嵌め設けられ、弾性具を収容し、その上縁は玉に押付可能な斜面に形成され、斜面の下方には、弾性具に押付可能な止め縁が設けられる連接具と、
を含むことを特徴とする。
【０００５】
本考案のタレット脱着可能な挟み機構によると、刃具受け台は、更に、載せ具を含み、載せ具は、刃具受け台の内部に設けられ、その上端に凸縁が設けられ、凸縁は、階段状エッジに押付け、その両側に切り欠がそれぞれ設けられ、各切り欠は、それに対応する規制ブロックと係合可能であり、載せ具は円錐面を有し、円錐面に刃具を置き可能であることを特徴とする。
【０００６】
本考案のタレット脱着可能な挟み機構によると、刃具受け台は、少なくとも一つの固定具を介して受け枠に固定されることを特徴とする。
【０００７】
本考案のタレット脱着可能な挟み機構によると、弾性具はバネであることを特徴とする。
【０００８】
本考案のタレット脱着可能な挟み機構によると、連接具の外面には、凹縁が複数設けられることを特徴とする。
【０００９】
本考案のタレット脱着可能な挟み機構によると、環状蓋は刃具受け台の環状縁の上端に設けられることを特徴とする。
【００１０】
本考案のタレット脱着可能な挟み機構によると、刃具受け台の環状縁の上端には、更に、環状蓋が設けられ、環状蓋は、連接具を止めて連接具の環状縁からの脱落を防止できることを特徴とする。
【考案の効果】
【００１１】
本考案によれば、刃具を定位設置できるとともに、刃具の脱落を防止できるという効果を有する。
【図面の簡単な説明】
【００１２】
【図１】本考案の一実施例の組合済み状態を示す斜視図である。
【図２】本考案の一実施例を示す分解斜視図である。
【図３】本考案の一実施例に刃具を組付ける前の操作を示す模式図である。
【図４】本考案の一実施例に刃具を組付ける操作を示す模式図である。
【図５】本考案の一実施例から刃具を取り外す操作を示す模式図である。
【考案を実施するための形態】
【００１３】
以下、本考案の実施の形態を図面に基づいて説明する。
【実施例】
【００１４】
まず、図１乃至図５を参照する。本考案の一実施例のタレット脱着可能な挟み機構は、支持台１と、受け枠２と、刃具受け台３と、連接具５と、環状蓋６と、を含む。
【００１５】
受け枠２は、支持台１の一側に回動可能に設けられ、定位穴２１を有する。
【００１６】
刃具受け台３は、受け枠２に固定され、少なくとも一つの固定具７を介して受け枠２に固定され、中空状を呈し、押付部３１を有する。押付部３１の受け枠２に向いている箇所から連接部３２が延びる。連接部３２は定位穴２１を挿通する。押付部３１は押付面３１１を有する。押付部３１の受け枠２から遠ざかった側から環状縁３３が延びる。環状縁３３に弾性具４を嵌合できる。弾性具４はバネでもよい。環状縁３３には、環状縁３３を貫通する収容穴３３１が二つ設けられる。各収容穴３３１には、玉３３２がそれぞれ収容される。収容穴３３１の環状縁３３の内面に位置する直径は玉３３２の直径よりも小さい。環状縁３３の内面に階段状エッジ３３３が設けられる。階段状エッジ３３３に規制ブロック３３４が二つ設けられる。
【００１７】
連接具５は、刃具受け台３の環状縁３３に嵌め設けられ、弾性具４を収容する。連接具５の上縁は玉３３２に押付可能な斜面５１に形成される。斜面５１の下方には、弾性具４に押付可能な止め縁５２が設けられる。弾性具４は押付面３１１に押付ける。連接具５の外面に凹縁５３が複数設けられる。凹縁５３により、ユーザは連接具５を握って引かせることができる。
【００１８】
環状蓋６は、刃具受け台３の環状縁３３の上端に設けられ、連接具５を止めて連接具５の環状縁３３からの脱落を防止できる。
【００１９】
刃具受け台３は、更に、載せ具３４を含む。載せ具３４は、刃具受け台３の内部に設けられ、その上端に凸縁３４１が設けられる。凸縁３４１は、階段状エッジ３３３に押付け、その両側に切り欠３４２がそれぞれ設けられる。各切り欠３４２は、それに対応する規制ブロック３３４と係合可能である。載せ具３４は円錐面３４３を有する。円錐面３４３に刃具８を置き可能である。
【００２０】
このように、刃具８を脱着したいときには、まず、凹縁５３を押圧して連接具５を下方に移動して、止め縁５２が弾性具４を圧縮する。連接具５が受け枠２に押付けるときには、斜面５１と押付部３１との表面から、玉３３２が活動できる空間が形成される。玉３３２は、止め縁５２と斜面５１とに規制されないときに、外側に転がり可能である。斜面５１が収容穴３３１の外側に位置するため、玉３３２が収容穴３３１内から脱落することを回避できる。次に、刃具受け台３と載せ具３４とに刃具８を置いて、連接具５をリリースすると、弾性具４の弾力により、連接具５が上方に移動して環状蓋６に止められる。斜面５により玉３３２が押付けられて刃具８へ移動して、止め縁５２により玉３３２が刃具８を係止するため、受け枠２を旋回することにより、刃具８を水平位置に位置させるときには、刃具８が定位されて受け枠２から脱落できない。そして規制ブロック３３４により、刃具８の回動を防止できるため、刃具８の脱着は便利となる。
【産業上の利用可能性】
【００２１】
本考案は、タレット用挟み機構に適用することができる。
【符号の説明】
【００２２】
１：支持台
２：受け枠
３：刃具受け台
４：弾性具
５：連接具
６：環状蓋
７：固定具
８：刃具
２１：定位穴
３１：押付部
３２：連接部
３３：環状縁
３４：載せ具
５１：斜面
５２：止め縁
５３：凹縁
３１１：押付面
３３１：収容穴
３３２：玉
３３３：階段状エッジ
３３４：規制ブロック
３４１：凸縁
３４２：切り欠
３４３：円錐面
【図１】
0003176704.tif 000003
【図２】
0003176704.tif 000004
【図３】
0003176704.tif 000005
【図４】
0003176704.tif 000006
【図５】
0003176704.tif 000007